【事件の表示】
　平成７年特許願第２４７６６３号「液晶表示装置」拒絶査定不服審判事件〔平成９年４月４日出願公開、特開平９−９０９１１号〕について、次のとおり審決する。
【結　論】
　本件審判の請求は、成り立たない。
【理　由】
第１　手続の経緯
　　　本件は、平成７年９月２６日に富士通株式会社によりされた特許出願（平成７年特許願第２４７６６３号。以下「本件出願」という。）につき、平成１４年１０月１１日に富士通ディスプレイテクノロジーズ株式会社を承継人とする名義変更届が提出され、拒絶査定が平成１６年３月２５日付けでされたところ、同年４月２８日に「原査定を取り消す、この出願の発明はこれを特許すべきものとする」との審決を求めて拒絶査定不服審判が請求され、平成１７年７月１２日に承継人を富士通株式会社とする名義変更届が提出され、同月１３日に承継人をシャープ株式会社とする名義変更届が提出され、当審において平成１９年１月２２日付けで通知した拒絶の理由に対し同年３月２３日に手続補正書及び意見書が提出されたものである。
　
第２　本件出願に係る発明
　　　本件出願の請求項１に係る発明（以下「本願発明」という。）は、平成１９年３月２３日付け手続補正書により補正された明細書及び図面の記載からみて、その特許請求の範囲の請求項１に記載された次のとおりのものである。
「【請求項１】
　各画素（Ｐｉｊ）につながるスキャンライン（ＳＬｉ）とデータライン（ＤＬｊ）がマトリクス状に配列された液晶パネル（１）と、
　該液晶パネル内の各スキャンラインを駆動する第１のドライバ（３）と、
　前記液晶パネル内の各データラインを駆動する第２のドライバ（４１，４２，………）と、
　外部から入力される表示データ（Ｄｎ）及び制御信号（ＣＫ，ＨＳ，ＶＳ）に基づいて、前記第１及び第２のドライバに対し、該表示データの前記各画素への書き込み及び表示のために必要な各種制御信号を該表示データと共に出力する制御回路（２）と、
　該制御回路から出力された制御信号及び表示データを前記第２のドライバに伝達する共通データライン（７）を含む信号ライン群（６）とを具備し、
　前記第２のドライバを前記液晶パネルの片側に配置し、
　該第２のドライバに前記表示データの反転入力機能を持たせ
、
　前記各ドライバユニットには、データ反転信号（ＩＮＶ）が入力され、
　前記各ドライバユニットは、
　　前記各ドライバユニットの初段部に設けられ、前記信号ライン群を介して入力される表示データ（Ｄｎ）及びデータ反転信号（ＩＮＶ）に応答するゲート回路（１５）と、
　　該ゲート回路から出力される表示データ（Ｄｎ’）を前記信号ライン群を介して入力されるクロック（ＣＫ１）に応答して取り込む回路（２０，３０１〜３０ｎ）と、
　　この取り込まれた表示データを前記信号ライン群を介して入力されるラッチ信号（ＬＰ）に応答して保持する回路（４０１〜４０ｎ）と、
　　この保持された表示データに応じて規定の駆動電圧（Ｖｎ）を選択し、前記液晶パネル内の対応するデータライン群（ＤＬｉ〜ＤＬｎ）を駆動する回路（５０１〜５０ｎ，６０１〜６０ｎ）とを有し、
　前記ゲート回路は、排他的ＯＲゲート（１５）により構成され、前記クロック（ＣＫ１）の１周期毎に反転する信号（ＩＮＶ）を前記データ反転信号として入力することを特徴とする液晶表示装置。」
　
第３　引用刊行物に記載された発明
　　　当審で通知した拒絶の理由に引用した刊行物及びその記載事項は、以下のとおりである。
　１　特開平７−２３０２６４号公報（以下「刊行物１」という。）
　　　本件出願の出願前に頒布された刊行物１には、図面とともに、以下のような記載がされている。
　（１）「【０００１】【産業上の利用分野】本発明は、液晶表示装置の駆動方法および駆動回路に関し、特に液晶表示部の表示対象のデ−タ電極に対し、表示用画像信号に対応のディジタルデ−タに対応する駆動電圧と、このディジタルデ−タを反転させた新ディジタルデ−タに対応する駆動電圧とを所定の関係、例えば奇数番目の縦ラインと偶数番目の縦ラインとで共通電極に対する正負の極性が反転するような関係で送るようにした液晶表示装置の駆動方法およびそのための駆動回路に関する。」
　（２）「【００１７】【発明が解決しようとする課題】このように、従来の、材質やコストの点で有利なＣＯＧ形式の駆動用ＩＣパッケージを用いた片側駆動方式では、表示用画像信号の階調を示すディジタルデ−タを作成する際に、後で当該ディジタルデ−タによって対応データ電極ごとに設定される駆動電圧の共通電極に対する極性も取り込むかたちで特定しているため、ディジタルデ−タのトグル周波数が高くなってデ−タドライバのディジタルデ−タ入力部のバッファの反転による電流が増え、デ−タドライバユニットの消費電力が増加するという問題点があった。【００１８】特に、ベタ表示の場合には前記ディジタルデ−タの各ビットが画素単位で反転してそのトグル周波数が最大（クロック周波数の１／２で例えば１２．５ＭＨｚ）となり、デ−タドライバユニットの消費電力の増加が顕著である。【００１９】そこで、本発明では、表示用画像信号をその階調に応じたディジタルデ−タに変換する段階では対応データ電極の駆動電圧の共通電極に対する極性を考慮せずに、すなわち当該極性については正負いずれかの任意の状態に固定したままでディジタルデ−タ入力部に先ず入力し、その後、駆動電圧の交流化のための所定のデ−タ変換を行うことにより、ディジタルデ−タのトグル周波数を低くしてデ−タドライバユニットの低電力化を図ることを目的とする。」
　（３）「【００２１】【課題を解決するための手段】図１は、本発明の原理説明図である。１は、液晶表示部であり、例えばマトリックス状に配置されたデータ電極２とこれらの共通電極などからなっている。２は、データ電極であり、デ−タドライバ３で設定された駆動電圧がＴＦＴなどを介して加えられている。３は、デ−タドライバであり、ここのバッファ部に入力されるディジタルデ−タは前述のように駆動電圧の極性を考慮していないものであって、Ａグループ（例えば奇数番目の縦ラインの画素に対応）のディジタルデ−タについてはこのデータで駆動電圧を特定し、またＢグループ（例えば偶数番目の縦ラインの画素に対応）のディジタルデ−タについてはデ−タ変換を行った後の新ディジタルデータで駆動電圧を特定し、それぞれをデータ電極２に送っている。４は、スキャナドライバであり、特定の横１ライン分をの画素を選択するための信号を出力している。【００２２】ここで、デ−タドライバ３は、例えばディジタルデ−タ「００（黒レベル）」が続く場合、　・Ａグループに対してはこの「００」に相当の駆動電圧Ｖ１を設定し、　・Ｂグループに対してはこの「００」を「１１」のディジタルデ−タに変換してこれに相当の駆動電圧Ｖ４を設定する。【００２３】また、このような駆動電圧を設定するための駆動回路として、表示用画像信号に対応のディジタルデータを保持するラッチ部と、このラッチ部の保持データに基づいて当該表示用画像信号に対応する電極駆動用の基準電圧を選択するスイッチ部と、前記ディジタルデータの中で特定のものに対してビット反転処理を行うビット反転処理部などを備えたもの（図３参照）を用いている。」
　（４）「【００２４】【作用】本発明は、このように、デ−タドライバのバッファに入力されるディジタルデ−タについては対応データ電極の駆動電圧の共通電極に対する極性を考慮せずに、トグル周波数の低いものとし、その後の特定グループのディジタルデ−タに対するデ−タ変換によって駆動電圧の交流化を図ることにより、バッファの低電力化に適した液晶表示装置の駆動方法および駆動回路を構成している。【００２５】そして、本発明をＣＯＧ・縦ライン反転方式（片側駆動方式）に適用した場合のデ−タ変換および駆動電圧の設定は図２のようになっている。なお、バッファに入力されるディジタルデ−タは負極性の「００」および「０１」、または正極性の「１０」および「１１」のいずれかの組が用いられる。【００２６】例えば負極性のビットデータで入力されたときには、任意のｍ画素では黒レベルの「００」および白レベルの「０１」の各ディジタルデ−タに対応の駆動電圧Ｖ１およびＶ２が設定される。【００２７】そして，次の（ｍ＋１）画素では、・「００」→「１１」　・「０１」→「１０」　のデータ変換が先ず行われ、続いてこの変換後の新ディジタルデ−タに対応の駆動電圧Ｖ４およびＶ３がそれぞれ設定される。【００２８】また、以上のデ−タ変換および駆動電圧の設定はフレーム単位で行われており、次のフレームではｍ画素にデ−タ変換が実行されて新ディジタルデータに対応の駆動電圧Ｖ４およびＶ３が選択され、（ｍ＋１）画素ではデ−タ変換が実行されずにそのときのディジタルデ−タに対応の駆動電圧Ｖ１およびＶ２が設定される。【００２９】なお、次のフレームではディジタルデータと駆動電圧との対応関係を、・「００」→Ｖ４　・「０１」→Ｖ３　・「１０」→Ｖ２　・「１１」→Ｖ１のように変更すれば、（ｍ＋１）画素に対してデ−タ変換を実行するといったルールを継続することができる。【００３０】以上の説明ではディジタルデ−タを上位の極性表示用の１ビットと下位の階調表示用の１ビットとからなる２ビットにしているが、このディジタルデ−タを何ビットにするかは任意である。【００３１】また、デ−タドライバのバッファに入力されるディジタルデ−タ、すなわち対応データ電極の駆動電圧の共通電極に対する極性まで考慮していないディジタルデ−タの作成主体は、デ−タドライバの外部に限定されることなく、入力された表示用画像信号に対してデ−タドライバ側で実行するようにしてもよい。【００３２】また、本発明は、このようにトグル周波数の低いディジタルデ−タをバッファに先ず入力し、その後、駆動電圧の交流化のための所定のデ−タ変換を行ってから対応の駆動電圧を設定するようにしたもので、縦ライン反転方式の場合に限定されるものではない。
【００３３】また、ディジタルデータと駆動電圧との対応関係を変更するタイミングとしては、フレーム周期の整数倍や水平ライン周期の整数倍などの特定の周期や外部からの制御信号に基づくものでもよい。【００３４】また、この対応関係や、各ディジタルデータに対応する駆動電圧の値を制御信号で選択的に変更することにより液晶パネル上の輝度ムラや色度ムラなどを補正することができる。」
　（５）「【００３５】【実施例】図３〜図６を参照して本発明の実施例を説明する。なお、以下の実施例では、説明の便宜上、図１と同様の２ビットのディジタルデ−タおよび縦ライン反転方式（片側駆動方式）を前提にしている。【００３６】図３は、本発明のデ−タドライバの概要を示す説明図であり、１１はディジタルデ−タと選択される駆動電圧との対応関係を特定する制御部、１２はシフトレジスタ、１３はシフトレジスタ１２のシフトパルスに同期して入力ディジタルデ−タ（Ｄ０，Ｄ１の２ビット）を順次ラッチする第１のラッチ群、１４はロード信号ＬＯＡＤに同期して第１のラッチ群１３の保持デ−タ（ＬＤＴ１〜ＬＤＴＭ）をラッチする第２のラッチ群、１５は第２のラッチ群１４の保持デ−タをデコード処理するデコーダ群、１６はデコーダ群１５の出力に基づいて基準電圧Ｖ１〜ＶＮの中から対応する各電圧を選択して出力端ＯＵＴ１〜ＯＵＴＭに出力するためのアナログスイッチをそれぞれ示している。【００３７】また、ここでは次の各種信号が用いられている。　Ｖ１〜ＶＮ・・基準電圧　Ｄ０，Ｄ１・・駆動電圧の極性を考慮していない入力ディジタルデ−タ　ＳＴＡＲＴ・・１水平ライン分の入力ディジタルデ−タの取り込み開始信号　ＣＬＫ・・入力ディジタルデ−タのクロック信号　ＬＯＡＤ・・第２のラッチ群１４に対するロード信号　ＣＯＮＴ・・制御部１１の入力信号　ＬＤＴ１〜ＬＤＴＭ・・第１のラッチ群１３に保持される、所定のデ−タ変換後（ビット反転後）の新ディジタルデ−タ　ＯＵＴ１〜ＯＵＴＭ・・液晶パネルの各デ−タ電極に対する駆動電圧　【００３８】図４は、図３のデ−タドライバのタイムチャートを示すもので、「Ｍ（１水平ラインのデ−タ電極数）＝４，Ｎ（駆動電圧数）＝４」を前提としている。なお、実際の液晶パネルの場合には例えば「Ｍ＝１９２０」となる。【００３９】先ず、クロック信号ＣＬＫの立ち下がりエッジのタイミングで発生するシフトレジスタ１２のシフトパルスによって入力ディジタルデ−タ（Ｄ０，Ｄ１）が第１のラッチ群１３にＬＤＴ１〜ＬＤＴ４としてラッチされる。このとき、ＬＤＴ２とＬＤＴ４については元の入力ディジタルデ−タの各ビットを反転したかたちでラッチされる。【００４０】次に、これらのＬＤＴ１〜ＬＤＴ４の新ディジタルデ−タはロード信号ＬＯＡＤに同期して第２のラッチ群１４にラッチされ、続いてデコーダ群１５によってデコードされる。【００４１】次に、このデコード出力に基づいてアナログスイッチ１６が動作し、第２のラッチ群１４にラッチされていたＬＤＴ１〜ＬＤＴ４のそれぞれに対応する基準電圧Ｖ１〜ＶＮが液晶パネルの例えば１水平ライン分の各デ−タ電極に対する駆動電圧ＯＵＴ１〜ＯＵＴ４として選択されることになる。【００４２】その後のＳＴＡＲＴ信号によって同じ動作が順に繰り返されることになり、　・ロード信号２１の後の周期ｔ１では「ＯＵＴ１＝Ｖ１，ＯＵＴ２＝Ｖ４，ＯＵＴ３＝Ｖ２，ＯＵＴ４＝Ｖ３」　・ロード信号２２の後の周期ｔ２では「ＯＵＴ１＝Ｖ２，ＯＵＴ２＝Ｖ４，ＯＵＴ３＝Ｖ２，ＯＵＴ４＝Ｖ４」　・ロード信号２３の後の周期ｔ３では「ＯＵＴ１＝Ｖ１，ＯＵＴ２＝Ｖ３，ＯＵＴ３＝Ｖ１，ＯＵＴ４＝Ｖ３」といった駆動電圧がそれぞれ設定されている。なお、ＶＣは共通電極の電圧に相当する。【００４３】このように、同じディジタルデ−タ（例えば「００」）に対して、内部での対応を切り換えることにより駆動電圧ＯＵＴ１〜ＯＵＴ４を縦１ラインごとに逆特性にすることができ、入力ディジタルデ−タ（Ｄ０，Ｄ１）のトグル周波数を低く抑えた状態での駆動電圧の交流化が可能となる。」
　（６）「【００５６】【発明の効果】本発明は、データドライバの入力部に加えられる入力ディジタルデ−タを作成する際には対応するデ−タ電極の駆動電圧の極性を考慮せずにそのトグル周波数が低いものとし、データドライバ内部でのビット反転処理を行うことにより当該極性を持たせるようにしているため、ディジタルデ−タ入力部のバッファの反転にともなう電流増加の頻度が従来のデータドライバよりも減少して消費電力の低減化を図ることができる。」
　２　特開平７−１９９１５２号公報（以下「刊行物２」という。）
　　　本件出願の出願前に頒布された刊行物２には、図面とともに、以下のような記載がされている。
　（１）「【０００１】【産業上の利用分野】本発明は、液晶表示装置に係わり、特に画素毎にスイッチング素子を設けたアクティブマトリックス方式の液晶表示装置に関する。」
　（２）「【００２２】【実施例】以下、本発明の実施例を図面を参照して説明する。まず、請求項１の発明の実施例について説明する。（実施例１）図１は、本発明の第１の実施例に係わる液晶表示装置の基本構成を示すブロック図である。この装置は、ＴＦＴ−ＬＣＤパネル１と、このＴＦＴ−ＬＣＤパネル１の表示信号電極をパネル上側から駆動する上側表示信号電極駆動回路２と、表示信号電極をパネル下側から駆動する下側表示信号電極駆動回路３と、ＴＦＴ−ＬＣＤパネル１の走査電極を駆動する走査電極駆動回路４と、この走査電極駆動回路４のダイナミックレンジを制御する走査電極制御回路５とから構成されている。【００２３】図１の例では、上側表示信号電極駆動回路２へ表示信号Ｖｓｉｇ（Ｕ）が供給され、上側表示信号Ｖｓｉｇ（Ｕ）をサンプリングする上側水平パルスＣＰＨ（Ｕ）と、表示信号をサンプリングするタイミングを制御する上側サンプリングパルスＳＴＨ（Ｕ）とから、上側表示信号電極駆動回路２が制御されてＴＦＴ−ＬＣＤパネル１へ上側表示信号電極駆動回路２の表示信号Ｖｓｉｇ（Ｕ）が供給される。同様に、下側表示信号電極駆動回路３へ下側表示信号Ｖｓｉｇ（Ｄ）が供給され、ＣＰＨ（Ｄ）とＳＴＨ（Ｄ）からなる下側制御パルスによりＴＦＴ−ＬＣＤパネル１へ下側表示信号電極駆動回路３の表示信号Ｖｓｉｇ（Ｄ）が供給される。【００２４】上側表示信号電極駆動回路２及び下側表示信号電極駆動回路３からの各々の表示信号Ｖｓｉｇ（Ｕ），Ｖｓｉｇ（Ｄ）は、走査電極駆動回路４からの走査信号によりＴＦＴ−ＬＣＤパネル１へ書き込みが行われ、そして保持動作が行われてＴＦＴ−ＬＣＤパネル１に表示信号が表示される。図１に示すように、走査電極駆動回路４は複数の走査電極駆動ＩＣから構成されており、各々の走査電極駆動ＩＣはそのＩＣ毎に対応した走査電極制御回路５によりダイナミックレンジが制御される。」
　
第４　当審の判断
　　　本願発明と刊行物１に記載された発明とを対比すると、刊行物１に記載された液晶表示部１、スキャナドライバ４、データドライバ３は、それぞれ本願発明の「液晶パネル」、「第１のドライバ」、「第２のドライバ」に相当する。また、刊行物１に記載された基準電圧Ｖ１〜ＶＮ、入力ディジタルデータＤ０、Ｄ１、取り込み開始信号ＳＴＡＲＴ、クロック信号ＣＬＫ、ロード信号ＬＯＡＤ、制御部１１の入力信号ＣＯＮＴを含む線は、本願発明の「信号ライン群」に相当する。刊行物１に記載されたシフトレジスタ１２及びラッチ群１３は本願発明の「取り込む回路」に相当し、刊行物１に記載されたラッチ群１４は本願発明の「保持する回路」に相当し、刊行物１に記載されたデコーダ群１５及びアナログスイッチ１６は本願発明の「データライン群を駆動する回路」に相当する。
　そうすると、本願発明と刊行物１に記載された発明とは、以下の一致点で一致し、以下の相違点１から３までで相違する。
　一致点　「各画素につながるスキャンラインとデータラインがマトリクス状に配列された液晶パネルと、該液晶パネル内の各スキャンラインを駆動する第１のドライバと、前記液晶パネル内の各データラインを駆動する第２のドライバと」、「制御信号及び表示データを前記第２のドライバに伝達する共通データラインを含む信号ライン群とを具備し、前記第２のドライバを前記液晶パネルの片側に配置し、該第２のドライバに前記表示データの反転入力機能を持たせ」、「表示データを前記信号ライン群を介して入力されるクロックに応答して取り込む回路と、この取り込まれた表示データを前記信号ライン群を介して入力されるラッチ信号に応答して保持する回路と、この保持された表示データに応じて規定の駆動電圧を選択し、前記液晶パネル内の対応するデータライン群を駆動する回路とを有」する「液晶表示装置」である点。
　相違点１　本願発明では「外部から入力される表示データ及び制御信号に基づいて、前記第１及び第２のドライバに対し、該表示データの前記各画素への書き込み及び表示のために必要な各種制御信号を該表示データと共に出力する制御回路」を具備し、制御信号及び表示データが「該制御回路から出力された」ものであるところ、刊行物１にはこのような記載がされていない点。
　相違点２　本願発明では「前記第２のドライバは、前記液晶パネル内の所定数のデータライン群毎に対応してそれぞれ設けられた複数のドライバユニットを有し、各ドライバユニットは前記共通データラインからそれぞれ独立に表示データを入力し、前記制御回路から初段のドライバユニットに入力された起動用制御信号を次段のドライバユニットへ順次送ることで全体として１つのドライバを構成」するのに対し、刊行物１にはこのような記載がされていない点。
　相違点３　本願発明では各ドライバユニットに「データ反転信号が入力され」、各ドライバユニットの「初段部に設けられ、前記信号ライン群を介して入力される表示データ及びデータ反転信号に応答するゲート回路」を有し、表示データが「該ゲート回路から出力され」、「前記ゲート回路は、排他的ＯＲゲートにより構成され、前記クロックの１周期毎に反転する信号を前記データ反転信号として入力する」のに対し、刊行物１にはこのような記載がされていない点。
　相違点１について検討すると、外部から入力される表示データ及び制御信号に基づいてドライバに対し表示のために必要な各種制御信号と表示データを出力する回路を用いることは慣用手段であり、刊行物１に記載された発明において相違点１のようにすることは当業者が適宜に行い得ることである。
　相違点２について検討すると、刊行物２（特に図１）には上側表示信号電極駆動回路２においてＴＦＴ−ＬＣＤパネル１の表示信号電極Ｘ１からＸｏまで、Ｘｏ＋２からＸｐまで、Ｘｐ＋２からＸｑまで及びＸｑ＋２からＸｉまでに対して個別の回路を用い、各回路はそれぞれ表示信号Ｖｓｉｇを入力し、初段の回路にサンプリングパルスＳＴＨを入力することが示されており、また信号用の駆動回路をこのように構成することは周知であるということもでき、刊行物１に記載された発明において相違点２のようにすることは当業者が適宜に行い得ることである。
　相違点３について検討すると、刊行物１に記載された発明においてもクロック信号ＣＬＫの１周期毎にデータの反転を行っているところであり、またこのようなデータの反転を指示する信号を用い、排他的論理和回路にこの信号を入力して反転を行うことは、例えば特開平２−１７０７８４号公報（特に第１１図）にも示され、周知であり、刊行物１に記載された発明において相違点３のようにすることは当業者が適宜に行い得ることである。
　本願発明の作用効果についてみても、刊行物１に記載された発明及び周知慣用の技術手段から予測し得る範囲内のものであり、格別のものではない。
　そうすると、本願発明は、当業者が刊行物１に記載された発明及び周知慣用の技術手段に基いて容易に発明をすることができたものである。
　
第５　まとめ
　　　以上のとおりであるから、本願発明は特許法２９条２項の規定により特許をすることができないものであり、本件出願は、拒絶をすべきものである。
　よって、結論のとおり審決する。